(57)【要約】【課題】初期位置におけるムービングプレートの保持力低下を防ぐ。【解決手段】本発明のコネクタ１０は、フード部２１を有する雄ハウジング２８と、板状をなすプレート本体３２を有し、フード部２１内において初期位置と嵌合位置との間を移動可能とされたムービングプレート３０と、フード部２１内に嵌合可能な雌ハウジング４１と、フード部２１内において撓み可能に設けられ、プレート本体３２の係止縁部３４に係止することで同ムービングプレート３０を初期位置に保持させる保持係止片２４と、雌ハウジング４１に設けられ、保持係止片２４を押圧する押圧部４５とを備え、雌ハウジング４１をフード部２１内に嵌合させると、押圧部４５が保持係止片２４を押圧することでプレート本体３２の係止縁部３４と保持係止片２４との係止が解除され、ムービングプレート３０が初期位置から嵌合位置へ移動する構成としたところに特徴を有する。【選択図】図８
2014241253.tif 000002
【特許請求の範囲】
【請求項１】
フード部を有する第１ハウジングと、
板状をなすプレート本体を有し、前記フード部内において初期位置と嵌合位置との間を移動可能とされたムービングプレートと、
前記フード部内に嵌合可能な第２ハウジングと、
前記フード部内において撓み可能に設けられ、前記プレート本体の側縁部に係止することで同ムービングプレートを初期位置に保持させる保持係止片と、
前記第２ハウジングに設けられ、前記保持係止片を押圧する押圧部とを備え、
前記第２ハウジングを前記フード部内に嵌合させると、前記押圧部が前記保持係止片を押圧することで前記プレート本体の側縁部と前記保持係止片との係止が解除され、前記ムービングプレートが前記初期位置から前記嵌合位置へ移動することを特徴とするコネクタ。
【請求項２】
前記フード部内からの前記第２ハウジングの離脱に伴って前記ムービングプレートを前記嵌合位置から前記初期位置へ移動させると、前記押圧部が前記保持係止片を押圧することで同保持係止片を撓ませ、前記押圧部による押圧が解除されて前記保持係止片が復帰すると、同保持係止片が前記プレート本体の側縁部に係止することを特徴とする請求項１に記載のコネクタ。
【請求項３】
前記保持係止片は、前記押圧部が乗り上げるセミロック部と、前記プレート本体の側縁部に係止する係止凹部とを有し、この係止凹部の一端側に前記セミロック部が配されており、前記セミロック部の始端は、前記係止凹部よりも前記フード部の開口側に位置していることを特徴とする請求項１または請求項２に記載のコネクタ。
【発明の詳細な説明】
【技術分野】
【０００１】
本発明は、ムービングプレートを備えたコネクタに関する。
【背景技術】
【０００２】
この種のコネクタとして、例えば下記特許文献１に記載のものが知られている。このコネクタは、フード部を有する第１ハウジングと、このフード部内に装着されて初期位置と嵌合位置との間を移動可能とされたムービングプレートと、同じくフード部内に嵌合可能な第２ハウジングとを備えている。フード部内には、ムービングプレートを初期位置に保持させるストッパ面が形成されており、ムービングプレートには、ストッパ面に係止可能な副係止部が形成されている。第２ハウジングをフード部内に嵌合させ、第２ハウジングがムービングプレートに当接すると、ムービングプレートが初期位置から嵌合位置へ押し込まれる。
【先行技術文献】
【特許文献】
【０００３】
【特許文献１】特開２００７−３１７４４２号公報
【発明の概要】
【発明が解決しようとする課題】
【０００４】
しかしながら、上記の構成では、ムービングプレートが初期位置から嵌合位置へ向かう際に、副係止部がストッパ面に摺動しながら乗り超えるため、これらの摺動部が摩耗しやすくなる。このような摩耗が繰り返し行われると、ムービングプレートを初期位置に保持させておく保持力の低下につながる。
【０００５】
本発明は上記のような事情に基づいて完成されたものであって、初期位置におけるムービングプレートの保持力低下を防ぐことを目的とする。
【課題を解決するための手段】
【０００６】
本発明のコネクタは、フード部を有する第１ハウジングと、板状をなすプレート本体を有し、フード部内において初期位置と嵌合位置との間を移動可能とされたムービングプレートと、フード部内に嵌合可能な第２ハウジングと、フード部内において撓み可能に設けられ、プレート本体の側縁部に係止することで同ムービングプレートを初期位置に保持させる保持係止片と、第２ハウジングに設けられ、保持係止片を押圧する押圧部とを備え、第２ハウジングをフード部内に嵌合させると、押圧部が保持係止片を押圧することでプレート本体の側縁部と保持係止片との係止が解除され、ムービングプレートが初期位置から嵌合位置へ移動する構成としたところに特徴を有する。
【０００７】
このような構成によると、第２ハウジングを第１ハウジングのフード部内に嵌合させる際に、押圧部が保持係止片を押圧することでプレート本体の側縁部と保持係止片との係止が解除されるため、プレート本体の側縁部が保持係止片に摺動して摩耗することを回避できる。したがって、初期位置におけるムービングプレートの保持力低下を防ぐことができる。
【０００８】
本発明の実施の態様として、以下の構成が好ましい。
フード部内からの第２ハウジングの離脱に伴ってムービングプレートを嵌合位置から初期位置へ移動させると、押圧部が保持係止片を押圧することで同保持係止片を撓ませ、押圧部による押圧が解除されて保持係止片が復帰すると、同保持係止片がプレート本体の側縁部に係止する構成としてもよい。
このような構成によると、第２ハウジングを第１ハウジングのフード部内から離脱させる際に、押圧部が保持係止片を押圧することでプレート本体の側縁部と保持係止片との係止が解除されるため、プレート本体の側縁部が保持係止片に摺動して摩耗することを回避できる。
【０００９】
保持係止片は、押圧部が乗り上げるセミロック部と、プレート本体の側縁部に係止する係止凹部とを有し、この係止凹部の一端側にセミロック部が配されており、セミロック部の始端は、係止凹部よりもフード部の開口側に位置している構成としてもよい。
このような構成によると、セミロック部によって係止凹部が分断されることはないため、一続きの係止凹部を形成することができ、ムービングプレートの保持力向上につながる。
【発明の効果】
【００１０】
本発明によれば、初期位置におけるムービングプレートの保持力低下を防ぐことができる。
【図面の簡単な説明】
【００１１】
【図１】コネクタの構成部材を示す分解斜視図
【図２】ムービングプレートが初期位置に保持された雄コネクタを斜め前方から見た斜視図
【図３】雄コネクタを斜め前方から見た斜視図
【図４】ムービングプレートが初期位置に保持された雄コネクタの正面図
【図５】図４におけるＡ−Ａ線断面図
【図６】雌コネクタをフード部内に嵌合させる前の状態であって、押圧部が保持係止片を押圧する前の状態を示したコネクタの断面図
【図７】雌コネクタの前面を初期位置にあるムービングプレートに当接させた状態（押圧部による押圧が解除されて保持係止片が復帰し、同保持係止片がプレート本体の側縁部に係止することでムービングプレートが初期位置に保持された状態）を示したコネクタの断面図
【図８】押圧部が保持係止片を押圧することでプレート本体の側縁部と保持係止片との係止が解除され、ムービングプレートが初期位置から嵌合位置へ移動する途中の状態を示した断面図
【図９】ムービングプレートが嵌合位置に押し込まれて雌コネクタがフード部内に嵌合した状態を示した断面図
【図１０】押圧部が保持係止片を押圧することで同保持係止片を撓ませた状態を示した断面図
【図１１】雌コネクタをフード部内に嵌合させる前の状態であって、突起が戻し係止片を押圧する前の状態を示したコネクタの断面図
【図１２】突起が戻し係止片を押圧して撓ませた状態を示した断面図
【図１３】戻し係止片が復帰して突起に係止した状態を示した断面図
【図１４】ムービングプレートが嵌合位置に押し込まれて雌コネクタがフード部内に嵌合した状態を示した断面図
【図１５】ムービングプレートが初期位置に戻って突起が戻し係止片を押圧して撓ませた状態を示した断面図
【図１６】雄ハウジングの正面図
【図１７】図１６のＢ−Ｂ線断面図
【図１８】ムービングプレートの正面図
【図１９】図１８のＣ−Ｃ線断面図
【図２０】図５のＤ部を拡大して示した要部拡大断面図
【発明を実施するための形態】
【００１２】
＜実施形態＞
本発明の実施形態を図１ないし図２０の図面を参照しながら説明する。本実施形態におけるコネクタ１０は、図１に示すように、フード部２１を有する雄コネクタ２０と、ムービングプレート３０と、フード部２１内に嵌合可能な雌コネクタ４０とを備えて構成されている。ムービングプレート３０は、図６に示す初期位置と図９に示す嵌合位置との間を平行移動可能とされている。なお、以下においては雄コネクタ２０と雌コネクタ４０の嵌合方向を前後方向とし、互いの嵌合面側を前側として説明する。
【００１３】
雌コネクタ４０は、合成樹脂製の雌ハウジング４１と、この雌ハウジング４１内のキャビティに収容された複数の雌端子４２とを備えている。この雌端子４２は、図６に示すように、角筒状をなす角筒部４２Ａと、この角筒部４２Ａの後方に形成され電線Ｗの端末に接続された電線接続部４２Ｂとを備えている。一方、雌ハウジング４１は、図１に示すように、全体として略方形のブロック状とされている。
【００１４】
雌ハウジング４１の外周側面には、前後方向に延びる上下一対のガイド溝４３が形成されている。これらのガイド溝４３の前端側には、逃がし部４４が形成されている。この逃がし部４４は、上下一対のガイド溝４３を隔離する隔壁４３Ａの前方に形成されている。これらのガイド溝４３と逃がし部４４は、互いに連通しており、言い換えると、逃がし部４４を介して上下一対のガイド溝４３が連結されている。
【００１５】
逃がし部４４の前端側には、押圧部４５が突出して形成されている。この押圧部４５は、上側のガイド溝４３の前方に配されている。また、逃がし部４４の上下両側には、上下一対の溝の内側に突起４６が形成されている。この突起４６は、図１１に示すように、雌ハウジング４１の前端に位置して側方に突出する形態をなし、雌ハウジング４１の外周側面から凹んだ位置に配されている。このため、突起４６は、雌ハウジング４１の外周側面から側方に突出しない態様で形成されている。
【００１６】
ムービングプレート３０は合成樹脂製であって、図１に示すように、複数の位置決め孔３１が形成されたプレート本体３２と、このプレート本体３２の両側縁部から前方に突出して形成された複数のガイドレール３３とを備えて構成されている。ガイドレール３３は、プレート本体３２の各側縁部に一対ずつ設けられ、左右合わせて４つのガイドレール３３が設けられている。プレート本体３２の側縁部のうち上下一対のガイドレール３３の間に位置する部分は、係止縁部３４とされている。また、プレート本体３２の側縁部のうち上下一対のガイドレール３３の上下両側には、一対の戻し係止片３５が形成されている。この戻し係止片３５は、プレート本体３２の側縁部の上下両端部に位置し、前方に突出する形態をなしている。
【００１７】
雄コネクタ２０は、フード部２１と、このフード部２１の後方に形成された端子収容部２２とからなる合成樹脂製の雄ハウジング２８を有している。端子収容部２２内のキャビティには、図６に示すように、複数の雄端子２３が収容されている。この雄端子２３は、平板状をなすタブ部２３Ａと、このタブ部２３Ａの後方に形成され電線Ｗの端末に接続された電線接続部２３Ｂとを備えている。一方、端子収容部２２は、全体として略方形のブロック状をなし、フード部２１は、端子収容部２２の前端から角筒状をなして前方に突出する形態をなし、前方に開口している。
【００１８】
フード部２１の内周側面２１Ａには、図３に示すように、弾性的に撓み変形可能な保持係止片２４が設けられている。この保持係止片２４は、フード部２１内において左右に対向する一対の内周側面２１Ａにそれぞれ設けられている。また、フード部２１の底壁の両側縁部には、型抜き孔２１Ｂが上下方向に貫通して形成されている。保持係止片２４は、型抜き孔２１Ｂに対して下方から図示しないスライドピンを挿入することで成形されている。保持係止片２４は、型抜き孔２１Ｂから最も離れた上端縁側が内周側面２１Ａに連結され、かつ、後端縁側も内周側面２１Ａに連結されている。すなわち、保持係止片２４は、上端縁側と後端縁側の二辺において内周側面２１ＡにＬ字状に連結されることで片持ち状をなし、内周側面２１Ａに接近する方向（外側）と離れる方向（内側）に弾性変形可能とされている。
【００１９】
保持係止片２４は、図８および図２１に示すように、押圧部４５が乗り上げて保持係止片２４を外側に撓み変形させるセミロック部２６と、プレート本体３２の係止縁部３４に係止する係止凹部２７とを有し、この係止凹部２７の上端側にセミロック部２６が配されている。このセミロック部２６の前端は、係止凹部２７よりもフード部２１の開口側（前側）に位置している。したがって、プレート本体３２の係止縁部３４が係止凹部２７の後述する後側垂直面２７Ｂに摺動する前に、雌ハウジング４１の後述する押圧部４５がセミロック部２６に摺動することで保持係止片２４を外側に撓ませることになる。このため、係止縁部３４および後側垂直面２７Ｂが摩耗することを抑制できる。
【００２０】
セミロック部２６は、図２０に示すように、全体として略山形をなし、保持係止片２４の前端から緩やか傾斜して後方内側に向かう前側テーパ面２６Ａと、この前側テーパ面２６Ａの後端から後方にそのまま延びる水平面２６Ｂと、この水平面２６Ｂの後端から緩やかに傾斜して後方外側に向かう後側テーパ面２６Ｃとを有している。一方、係止凹部２７は、プレート本体３２の係止縁部３４に対して前方から係止する前側垂直面２７Ａと、同係止縁部３４に対して後方から係止する後側垂直面２７Ｂとを有している。前側垂直面２７Ａは、後側垂直面２７Ｂよりも高く形成されているため、前側垂直面２７Ａのプレート本体３２の係止縁部３４に対する係止力は、後側垂直面２７Ｂよりも高くなっている。
【００２１】
また、フード部２１の内周側面２１Ａには、図１に示すように、上下一対のガイド溝２５が形成されている。これらのガイド溝２５は、フード部２１内において左右に対向する一対の内周側面２１Ａにそれぞれ設けられている。また、ガイド溝２５は、前後方向において保持係止片２４の基部から前方に延びる形態をなし、フード部２１の開口縁に至る長さで形成されている。
【００２２】
図２に示すように、ムービングプレート３０がフード部２１内に装着されると、各ガイドレール３３が各ガイド溝２５に嵌合する。このとき、ガイドレール３３がガイド溝２５から内側に突出した状態となる。この突出した部分は、雌コネクタ４０がフード部２１内に嵌合した際に、ガイド溝４３に嵌合するようになっている。すなわち、雌コネクタ４０をフード部２１内に嵌合させると、雌コネクタ４０のガイド溝４３と雄コネクタ２０のガイド溝２５とが同じ高さ位置に並んで配され、これらのガイド溝２５、４３の間にムービングプレート３０のガイドレール３３が挟まれて嵌合した状態となる。したがって、ムービングプレート３０は、フード部２１のガイド溝２５によって初期位置と嵌合位置との間を平行移動可能とされ、雌ハウジング４１のガイド溝４３によって雌コネクタ４０が平行移動可能とされている。
【００２３】
次に、保持係止片２４の作用について説明する。まず、図６に示すように、ムービングプレート３０の係止縁部３４がフード部２１の係止凹部２７に嵌合した状態では、ムービングプレート３０が初期位置に保持されるようになっている。このとき、プレート本体３２と端子収容部２２の前面（フード部２１の奥面）との間には隙間が形成されており、雄端子２３のタブ部２３Ａの先端がプレート本体３２の位置決め孔３１に嵌合して位置決めされた状態となっている。この後、雌コネクタ４０をフード部２１内に嵌合させると、図７に示すように、雌コネクタ４０の前面がプレート本体３２に当接した状態となる。
【００２４】
図８に示すように、雌コネクタ４０をフード部２１内に嵌合させる途中では、雌コネクタ４０の押圧部４５が保持係止片２４のセミロック部２６の前側テーパ面２６Ａに乗り上げることで保持係止片２４が外側に撓み変形し、プレート本体３２の係止縁部３４が係止凹部２７から外れた状態となる。これにより、雌コネクタ４０の前面によってプレート本体３２が端子収容部２２側に押し込まれ、ムービングプレート３０が初期位置から嵌合位置へ向かうことになる。この間、雄端子２３のタブ部２３Ａが位置決め孔３１によって位置決めされた状態を維持したまま、雌端子４２の角筒部４２Ａに嵌合していく。そして、図９に示すように、ムービングプレート３０が嵌合位置に至ると、押圧部４５がセミロック部２６の水平面２６Ｂおよび後側テーパ面２６Ｃを乗り越えるとともに、このセミロック部２６が雌コネクタ４０の逃がし部４４に収容されることで保持係止片２４が復帰した状態となる。これにより、雌雄両コネクタ２０、４０が正規嵌合状態に至り、雌雄両端子２３、４２が導通可能に接続される。
【００２５】
図１０に示すように、雌コネクタ４０をフード部２１内から離脱させる途中では、押圧部４５がセミロック部２６の後側テーパ面２６Ｃに乗り上げることで保持係止片２４が外側に撓み変形し、図７に示すように、プレート本体３２の係止縁部３４が係止凹部２７の内側に位置するタイミングで保持係止片２４が復帰するようになっている。これにより、係止凹部２７がプレート本体３２の係止縁部３４に勢いよく嵌まり込み、ムービングプレート３０が初期位置に保持される。このとき、押圧部４５は、セミロック部２６の水平面２６Ｂおよび前側テーパ面２６Ａを乗り越えており、このセミロック部２６の一部が逃がし部４４に収容された状態となる。
【００２６】
次に、戻し係止片３５の作用について説明する。図１１に示すように、初期位置に保持されたムービングプレート３０に向けて雌コネクタ４０を近づけていくと、図１２に示すように、戻し係止片３５が突起４６に乗り上げた状態となる。そして、図１３に示すように、雌コネクタ４０の前面がプレート本体３２に当接すると、戻し係止片３５が復帰して突起４６に係止した状態になる。この後、雌コネクタ４０をフード部２１内に嵌合させていくと、図１４に示すように、プレート本体３２が端子収容部２２の前面に当接してムービングプレート３０が嵌合位置に至る。
【００２７】
雌コネクタ４０をフード部２１内から離脱させる際には、戻し係止片３５が突起４６に係止した状態となっているため、雌コネクタ４０と一体となってムービングプレート３０が嵌合位置から初期位置へ向けて移動する。そして、ムービングプレート３０が初期位置に至ると、保持係止片２４の係止凹部２７とプレート本体３２の係止縁部３４との係止によってムービングプレート３０の移動が停止されるため、図１５に示すように、戻し係止片３５が突起４６に乗り上げた状態となる。そして、雌コネクタ４０をさらに離脱させると、図１１に示すように、戻し係止片３５が突起４６から離間して復帰する。こうして、雌雄両コネクタ２０、４０の離脱が完了し、雌雄両端子２３、４２も離脱状態となる。
【００２８】
以上のように本実施形態では、雌ハウジング４１を雄ハウジング２８のフード部２１内に嵌合させる際に、押圧部４５が保持係止片２４を押圧することでプレート本体３２の係止縁部３４と保持係止片２４との係止が解除されるため、プレート本体３２の係止縁部３４が保持係止片２４に摺動して摩耗することを回避できる。したがって、初期位置におけるムービングプレート３０の保持力低下を防ぐことができる。
【００２９】
フード部２１内からの雌ハウジング４１の離脱に伴ってムービングプレート３０を嵌合位置から初期位置へ移動させると、押圧部４５が保持係止片２４を押圧することで同保持係止片２４を撓ませ、押圧部４５による押圧が解除されて保持係止片２４が復帰すると、同保持係止片２４がプレート本体３２の係止縁部３４に係止する構成としてもよい。このような構成によると、雌ハウジング４１を雄ハウジング２８のフード部２１内から離脱させる際に、押圧部４５が保持係止片２４を押圧することでプレート本体３２の係止縁部３４と保持係止片２４との係止が解除されるため、プレート本体３２の係止縁部３４が保持係止片２４に摺動して摩耗することを回避できる。
【００３０】
保持係止片２４は、押圧部４５が乗り上げるセミロック部２６と、プレート本体３２の係止縁部３４に係止する係止凹部２７とを有し、この係止凹部２７の一端側にセミロック部２６が配されており、セミロック部２６の始端は、係止凹部２７よりもフード部２１の開口側に位置している構成としてもよい。このような構成によると、セミロック部２６によって係止凹部２７が分断されることはないため、一続きの係止凹部２７を形成することができ、ムービングプレート３０の保持力向上につながる。
【００３１】
＜他の実施形態＞
本発明は上記記述及び図面によって説明した実施形態に限定されるものではなく、例えば次のような実施形態も本発明の技術的範囲に含まれる。
（１）上記実施形態では、保持係止片２４にセミロック部２６を設けることで押圧部４５が保持係止片２４を撓ませるようにしているものの、本発明によると、保持係止片側ではなく押圧部側にセミロック部を設けてもよい。
【００３２】
（２）上記実施形態では、係止凹部２７の上側のみにセミロック部２６が配されているものの、本発明によると、係止凹部の上下両側にセミロック部を設けてもよい。
【符号の説明】
【００３３】
１０…コネクタ
２１…フード部
２４…保持係止片
２６…セミロック部
２７…係止凹部
２８…雄ハウジング（第１ハウジング）
３０…ムービングプレート
３２…プレート本体
３４…係止縁部（側縁部）
４１…雌ハウジング（第２ハウジング）
４５…押圧部
【図１】
2014241253.tif 000003
【図２】
2014241253.tif 000004
【図３】
2014241253.tif 000005
【図４】
2014241253.tif 000006
【図５】
2014241253.tif 000007
【図６】
2014241253.tif 000008
【図７】
2014241253.tif 000009
【図８】
2014241253.tif 000010
【図９】
2014241253.tif 000011
【図１０】
2014241253.tif 000012
【図１１】
2014241253.tif 000013
【図１２】
2014241253.tif 000014
【図１３】
2014241253.tif 000015
【図１４】
2014241253.tif 000016
【図１５】
2014241253.tif 000017
【図１６】
2014241253.tif 000018
【図１７】
2014241253.tif 000019
【図１８】
2014241253.tif 000020
【図１９】
2014241253.tif 000021
【図２０】
2014241253.tif 000022